(57)【特許請求の範囲】
【請求項１】
挿入凹部（１５）が形成されたハウジング（１）と、ハウジング（１）内に組み込まれたコンタクト（７〜７）と、挿入凹部（１５）への挿抜が可能なスライダ（４）とを具備し、スライダ（４）を挿入凹部（１５）へ挿入することによって、挿入凹部（１５）に挿入されたフレキシブル基板（８）をコンタクト（７〜７）側へ押圧し、フレキシブル基板（８）の接触部をコンタクト（７〜７）の接触部（７４〜７４）に接触させるフレキシブル基板用コネクタであって、スライダ（４）のフレキシブル基板（８）を押圧する側の面に、挿入凹部（１５）に挿入されるフレキシブル基板（８）の補強材（８２）に係合可能な段差部（４５，４５）を形成し、スライダ（４）の抜去側部分に切り欠き部（４４）を形成し、切り欠き部（４４）は、スライダ（４）の抜去側とフレキシブル基板（８）を押圧する側とその反対側との３方向に向かって開口して形成され、切り欠き部（４４）の抜去側に向かう面と段差部（４５，４５）が補強材（８２）と係合する面とが略同一面上に位置するように形成されていることを特徴とするフレキシブル基板用コネクタ。
【請求項２】
ハウジング（１）に回動可能に支持され、この回動に連動してスライダ（４）をハウジング（１）側へ移動させる操作レバー（６）を具備したことを特徴とする請求項１記載のフレキシブル基板用コネクタ。
【請求項３】
取付片部（２１，３１）がハウジング（１）の両側壁に固着されてハウジング（１）の側壁との間でスライダ（４）のスライド腕部（４２，４２）を案内する据え付け具（２，３）を具備し、スライド腕部（４２，４２）の内壁面に操作レバー（６）の回動腕部（６２，６２）を回動可能に収容する凹部（４９，４９）を形成し、回動腕部（６２，６２）の先端部に取付片部（２１，３１）の枢支孔（２４，３４）に回動可能に支持される枢軸（６３，６３）を形成したことを特徴とする請求項２記載のフレキシブル基板用コネクタ。
【請求項４】
スライド腕部（４２，４２）の内壁面に係合段部（５３，５３）を形成し、回動腕部（６２，６２）に、操作レバー（６）の回動時に係合段部（５３，５３）と所定の押圧力で当接可能な係合突起（６７，６７）を形成したことを特徴とする請求項３記載のフレキシブル基板用コネクタ。
【発明の詳細な説明】
【０００１】
【発明の属する技術分野】
本発明は、フレキシブルフラットケーブルやフレキシブルプリント配線基板などのフレキシブル基板と、プリント配線基板等とを電気的に接続するためのフレキシブル基板用コネクタに関するものである。
【０００２】
【従来の技術】
従来、この種のフレキシブル基板用コネクタには、フレキシブル基板の挿入時にはコンタクトからの接触圧を受けずに低い挿入力で挿入でき、フレキシブル基板の挿入後には所定の接触圧でコンタクトと接触して安定した電気的接続が得られるゼロ・インサーション・フォース（ＺＩＦ）構造のものが知られている。
例えば、フレキシブル基板の挿入時には、スライダをハウジングから出す方向へ移動し、コンタクトからの接続圧を受けずに低い挿入力でフレキシブル基板をハウジング内の所定位置まで挿入し、フレキシブル基板の挿入後には、スライダをハウジングに入る方向へ移動してスライダの押圧片部でフレキシブル基板をコンタクト側へ押圧し、所定の接触圧でコンタクトと接触するように構成されていた。
【０００３】
【発明が解決しようとする課題】
しかしながら、前述の従来例では、フレキシブル基板をハウジング内の所定位置まで挿入してからスライダを移動しなければならないため、フレキシブル基板のハウジング内への挿入が不十分なときに、安定した電気的接続が得られないという問題点があった。
また、フレキシブル基板の挿入後においても、スライダの押圧片部がフレキシブル基板をコンタクト側へ押圧しているだけなので、フレキシブル基板の抜け止めが不十分になり易いという問題点があった。
【０００４】
本発明は、上述の問題点に鑑みなされたもので、挿入時におけるフレキシブル基板のハウジング内への挿入が不十分なときであってもスライダによってフレキシブル基板をハウジング内の所定位置まで挿入することができ、挿入後においてもフレキシブル基板の抜け止めを強化できるフレキシブル基板用コネクタを提供することを目的とするものである。
【０００５】
【課題を解決するための手段】
請求項１の発明によるフレキシブル基板用コネクタは、挿入凹部（１５）が形成されたハウジング（１）と、ハウジング（１）内に組み込まれたコンタクト（７〜７）と、挿入凹部（１５）への挿抜が可能なスライダ（４）とを具備し、スライダ（４）を挿入凹部（１５）へ挿入することによって、挿入凹部（１５）に挿入されたフレキシブル基板（８）をコンタクト（７〜７）側へ押圧し、フレキシブル基板（８）の接触部をコンタクト（７〜７）の接触部（７４〜７４）に接触させるフレキシブル基板用コネクタであって、スライダ（４）のフレキシブル基板（８）を押圧する側の面に、挿入凹部（１５）に挿入されるフレキシブル基板（８）の補強材（８２）に係合可能な段差部（４５，４５）を形成し、スライダ（４）の抜去側部分に切り欠き部（４４）を形成し、切り欠き部（４４）は、スライダ（４）の抜去側とフレキシブル基板（８）を押圧する側とその反対側との３方向に向かって開口して形成され、切り欠き部（４４）の抜去側に向かう面と段差部（４５，４５）が補強材（８２）と係合する面とが略同一面上に位置するように形成されていることを特徴とするものである。
【０００６】
上述の構成において、フレキシブル基板（８）の挿入時においてフレキシブル基板（８）の挿入凹部（１５）内への挿入が不十分な時でも、スライダ（４）の挿入凹部（１５）への挿入時に段差部（４５，４５）がフレキシブル基板（８）の補強材（８２）に係合してフレキシブル基板（８）を挿入凹部（１５）内の所定位置まで移動させることができる。また、挿入後においては、スライダ（４）の段差部（４５，４５）がフレキシブル基板（８）の補強材（８２）に係合してフレキシブル基板（８）の抜け止めに寄与することができる。
さらに、スライダ（４）の挿入凹部（１５）からの抜去側部分に切り欠き部（４４）を形成し、この切り欠き部（４４）が、スライダ（４）の抜去側とフレキシブル基板（８）を押圧する側とその反対側との３方向に向かって開口し、切り欠き部（４４）の抜去側に向かう面と段差部（４５，４５）が補強材（８２）と係合する面とが略同一面上に位置するように形成されているので、フレキシブル基板（８）の補強材（８２）がスライダ（４）の段差部（４５，４５）に係合可能な位置まで挿入されているか否かを切り欠き部（４４）を介して目視することができ、フレキシブル基板（８）が挿入凹部（１５）内の所定位置まで適切に挿入されているか否かを容易に確認することができる。
【０００７】
請求項２の発明は、請求項１に記載の発明において、ハウジング（１）の両側に操作スペースを設けることなくスライダ（４）の移動の容易化を図るために、ハウジング（１）に回動可能に支持され、この回動に連動してスライダ（４）をハウジング（１）側へ移動させる操作レバー（６）を具備したことを特徴とするものである。
【０００８】
請求項３の発明は、請求項２の発明において、小型化を維持しつつ操作レバー（６）を十分な強度で回動支持するために、取付片部（２１，３１）がハウジング（１）の両側壁に固着されてハウジング（１）の側壁との間でスライダ（４）のスライド腕部（４２，４２）を案内する据え付け具（２，３）を具備し、スライド腕部（４２，４２）の内壁面に操作レバー（６）の回動腕部（６２，６２）を回動可能に収容する凹部（４９，４９）を形成し、回動腕部（６２，６２）の先端部に取付片部（２１，３１）の枢支孔（２４，３４）に回動可能に支持される枢軸（６３，６３）を形成したことを特徴とするものである。
【０００９】
請求項４の発明は、請求項３の発明において、操作レバー（６）の回動でスライダ（４）をハウジング（１）側へ移動してロックするときにクリック感を生じさせるとともに、ロックされた操作レバー（６）が振動等の外力で容易に回動するのを防止するためにスライド腕部（４２，４２）の内壁面に係合段部（５３，５３）を形成し、回動腕部（６２，６２）に、操作レバー（６）の回動時に係合段部（５３，５３）と所定の押圧力で当接可能な係合突起（６７，６７）を形成したことを特徴とするものである。
【００１０】
【発明の実施の形態】
以下、本発明によるフレキシブル基板用コネクタの一実施形態例を図面を用いて説明する。
図１は、フレキシブル基板用コネクタの分解斜視図、図２〜図４は組立後のフレキシブル基板用コネクタを示す図で、これらの図において、１は絶縁性プラスチック樹脂で成形されたハウジング、２，３は金属板の折曲加工で形成された据え付け具、４は、絶縁性プラスチック樹脂で成形されたスライダ（カバーを兼用）、６は絶縁性プラスチック樹脂又は金属で形成された操作レバー、７は弾性を有する銅合金などの導電性金属板の打ち抜き加工で形成されたコンタクト、８はフレキシブルフラットケーブルやフレキシブルプリント配線基板などのフレキシブル基板である。
【００１１】
ハウジング１は、図５にも示すように、底板部１１、側板部１２，１２、天板部１３及び背板部１４からなり、底板部１１の先端部が側板部１２，１２及び天板部１３より前面側に突出して形成され、内部に前面側を横長スリット状の開口部とした挿入凹部１５が形成されている。
【００１２】
側板部１２，１２の外壁面には、据え付け具２，３の取付片部２１，３１を圧入、係止するための係止溝１６，１６が形成されている。係止溝１６，１６は下部を取付片部２１，３１挿入のための挿入口とし、上部を閉塞し、外側部を取付片部２１，３１より幅狭の開口としている。
天板部１３の内壁面は、背面側が前面側より底板部１１の内壁面へ近づくように段部１７を介して水平面状に形成されている。
【００１３】
ハウジング１には、その長手方向に沿って所定ピッチでコンタクト７を収容、保持するためのコンタクト収容部１８が形成されている。コンタクト収容部１８は、底板部１１の内壁面に形成された収容溝１８ａと、この収容溝１８ａに連通して背板部１４に形成された収容孔１８ｂと、この収容孔１８ｂに連通して天板部１３の背面側から前面側に貫通形成された保持孔１８ｃとで形成されている。
【００１４】
据え付け具２は、図６にも示すように、断面形状が上方に開口したコ字状に形成され、コ字状の対向壁の一方が取付片部２１、他方が外側片部２２となっている。
取付片部２１には係止突起２３，２３が突設されるとともに、操作レバー６の枢軸６３を回動可能に支持する枢支孔２４が形成され、外側片部２２にはスライダ４の抜け止め突起４８を遊嵌する案内孔２５が形成されている。
据え付け具２の取付片部２１をハウジング１の一側（図１では手前側）の係止溝１６に圧入、係止することによって、ハウジング１の側板部１２と据え付け具２の外側片部２２及び底側片部２６とによるＵ字状の案内部２７が形成され、この案内部２７はスライダ４の一方のスライド腕部４２を前後方向に移動可能に案内する。
【００１５】
据え付け具３は、図７にも示すように、据え付け具２と同様にコ字状を形成する取付片部３１、外側片部３２及び底側片部３６を具備し、取付片部３１には係止突起３５，３５が形成されるとともに枢支孔３４が形成されている。
そして、据え付け具３の取付片部３１をハウジング１の他側（図１では奥側）の係止溝１６に圧入、係止することによって、ハウジング１の側板部１３と据え付け具３の外側片部３２及び底側片部３６とによるＵ字状の案内部３７が形成され、この案内部３７はスライダ４の他方のスライド腕部４２を前後方向に移動可動に案内する。
【００１６】
スライダ４は、図８及び図９にも示すように、ハウジング１の前面側を覆う横長ロッド状のスライダ本体４１と、スライダ本体４１の両端から背面側へ一体に突設されたスライド腕部４２、４２とを具備している。
スライダ本体４１には、ハウジング１の底板部１１との間でフレキシブル基板８を挿通して、挿入凹部１５内に挿入可能とするための挿通凹部４３が形成されている。
スライダ本体４１の前面側中央部（すなわち抜去側中央部）には、挿通凹部４３に連通する幅広の切り欠き部４４が形成されている。
【００１７】
スライダ本体４１の挿通凹部４３に臨んだ底側壁面であって、切り欠き部４４を除いた部分には、挿入されるフレキシブル基板８の補強材８２の前面側（図１では手前側）端部に係合可能な段差部４５，４５が形成されている。
切り欠き部４４の前面側（抜去側）に向かった垂直面と段差部４５，４５の背面側に向かった垂直面とは、略同一平面上に位置するように形成されている。
【００１８】
スライダ本体４１の背面側（挿入側）には、挿入凹部１５内に挿入されるフレキシブル基板８をコンタクト７〜７の接触片部７１〜７１側へ押圧可能な押圧片部４６が突設されている。
押圧片部４６の下側壁面は、図９（ｃ）に示すように前面側が段差部４５の水平面と略同一平面に形成され、背面側が上方に向かって傾く緩斜面に形成されている。
押圧片部４６の上側壁面は、前面側が背面側より上側となるように段部４７を介して水平面状に形成されている。
【００１９】
スライド腕部４２、４２の外側壁面には、取付片部２１，３１の案内孔２５、３４に遊嵌可能な抜け止め突起４８、４８が突設されている。
スライド腕部４２、４２の内側壁面には、操作レバー６の回動腕部６２、６２を回動可能に収容する凹部４９、４９が形成されている。
凹部４９は上側と内側が開口し、前後方向で対向する内壁面は、それぞれ上部が突曲面状に形成され、前面側に位置する前方壁面が前方ホロアー面５０を形成し、背面側に位置する後方壁面が後方ホロアー面５１を形成する。凹部４９の内側に対向する内壁面５２は略垂直面状に形成されている。
【００２０】
スライド腕部４２、４２の内側壁面であって、凹部４９、４９に隣接する壁面には係合段部５３、５３が形成され、この係合段部５３、５３が操作レバー６の回動腕部６２、６２の基端部側外壁面に形成された係合突起６７、６７に所定の押圧力を持って当接することにより、クリック感を生じさせる。
【００２１】
係合段部５３は、上部垂直内壁面５４、下部垂直内壁面５５及び傾斜内壁面５６を具備し、上部垂直内壁面５４の内壁面は凹部４９の内壁面５２と略平行で内壁面５２より内側に位置して形成され、下部垂直内壁面５５の内壁面は上部垂直内壁面５４と略平行で若干外側に位置して形成され、傾斜内壁面５６は上部垂直内壁面５４と下部垂直内壁面５５の間に位置して傾斜段差をもって形成されている。
図９（ｄ）において、孔５７は係合段部５３の傾斜内壁面５６及び下部垂直内壁面５５を成形するための抜き孔である。
【００２２】
操作レバー６は、図１０及び図１１にも示すように、横長ロッド状に形成された操作部６１と、操作部６１の両端から前面側へ一体に突設された回動腕部６２、６２とを具備している。
回動腕部６２、６２の先端には、内側方向に突設して取付片部２１，３１の枢支孔２４、３４に回動可能に支持される枢軸６３、６３が形成されている。
【００２３】
回動腕部６２は、その前面側の上面が前面側から背面側に向けて緩やかに立ち上がる傾斜面状の前方カム面６４を具備し、この前方カム面６４は、組立後のスライダ４の前方向への移動時においてスライダ４の前方ホロアー面５０に当接する。
回動腕部６２は、その外側面が中間で外側に膨出し、この膨出部の背面側から底面にかけた側面には１／４円弧状の後方カム面６５が形成され、この後方カム面６５は組立後のスライダ４の後方向への移動時においてスライダ４の後方ホロアー面５１に当接する。
【００２４】
回動腕部６２、６２の基端部６６、６６は、その背面側の外壁面が前面側の外壁面より内側に位置して形成され、基端部６６、６６の外壁面には、スライダ４の係合段部５３、５３の上部垂直内壁面５４、５４及び傾斜内壁面５６、５６に所定の押圧力で当接可能な係合突起６７、６７が形成されている。
【００２５】
コンタクト７は、図１示すように二股フォーク状に形成され、接触片部７１、取付片部７２及び接続片部７３を具備している。
接触片部７１の先端には接触部７４が形成され、取付片部７２には係止突起（図示省略）が形成されている。
接続片部７３はプリント配線基板（図示省略）に半田等で接続される。
【００２６】
フレキシブル基板８は、図１に示すように、ポリエステルフイルムなどのベース材で形成された基板本体８１と、基板本体８１の下面側先端部に形成された接触部及びこの接触部に接続された配線パターン（図示省略）と、基板本体８１の上面側先端部にポリエステルフイルムなどで形成された補強用の補強材８２とを具備している。
【００２７】
つぎに、図１を用いて組み立て方法について説明する。
（１）  まず、ハウジング１のコンタクト収容部１８〜１８に背面側からコンタクト７〜７を挿入することによってコンタクト７〜７をハウジング１内に組み込む。このとき、コンタクト７の取付片部７２は、係止突起を具備しているのでコンタクト収容部１８の保持孔１８ｃ内に圧入、係止され、コンタクト７の接触片部７１はコンタクト収容部１８の収容溝１８ａ内に遊嵌状態で収容され、収容溝１８ａ内で上下方向に弾性変形可能となる。
【００２８】
（２）  ついで、ハウジング１の側板部１２，１２に形成された係止溝１６，１６に、据え付け具２，３の取付片部２１，３１を下部側から圧入、係止することによって据え付け具２，３をハウジング１に組み込む。この組み込みによってハウジング１の一方の側板部１２と据え付け具２の外側片部２２及び底側片部２６とによるＵ字状の案内部２７が形成されるとともに、ハウジング１の他方の側板部１２と据え付け具３の外側片部３２及び底側片部３６とによるＵ字状の案内部３７が形成される。
【００２９】
（３）  ついで、前記（２）で形成された案内部２７，３７に、スライダ４のスライド腕部４２、４２を前面側から挿入することによってスライダ４を組み込む。このとき、スライド腕部４２、４２の抜け止め突起４８、４８が据え付け具２，３の案内孔２５、３５に遊嵌状態で係合し、スライダ４の移動範囲を規制するとともに、スライダ４のハウジング１からの抜け止めとなる。
【００３０】
（４）  ついで、前記（３）でハウジング１に組み込まれたスライダ４の凹部４９、４９に操作レバー６の回動腕部６２、６２を上部側から挿入することによって操作レバー６を組み込む。このとき、操作レバー６の枢軸６３、６３を据え付け具２，３の枢支孔２４、３４に挿入し、操作レバー６が枢軸６３、６３を中心として回動可能となっている。また、組み込まれた操作レバー６を背面側へほぼ９０度回動したときには、操作レバー６の係合突起６７、６７がスライダ４の係合段部５３、５３に所定の押圧力で当接する。
【００３１】
つぎに、前期実施形態例の作用を図１２及び図１３を併用して説明する。
まず以下の（Ａ）において、操作レバー６の回動に連動してスライダ４が前後方向に移動する作用を説明し、ついで以下の（Ｂ）において、ハウジング１の挿入凹部１５内にフレキシブル基板８を低い挿入力で挿入し、操作レバー６の回動でスライダ４を移動して押圧片部４６がフレキシブル基板８の接触部をコンタクト７７〜７の接触部７４〜７４に弾性接触させる作用について説明する。
【００３２】
（Ａ）：  操作レバー６の回動によるスライダ４の移動作用
（１）  図１２（ａ）に示す初期状態（出荷状態）は、図２，図３及び図４の状態に該当する。この初期状態では、操作レバー６の後方カム面６５、６５がスライダ４の後方ホロアー面５１、５１に当接し、操作レバー６の係合突起６７、６７がスライダ４の傾斜内壁面５６、５６に所定の押圧力で当接し、操作レバー６が振動等の外力で点Ｏを中心として左回りに回動しないように規制されている。
点Ｏは、据え付け具２，３の枢支孔２４、３４に回動可能に支持された枢軸６３、６３の中心を表す。
【００３３】
（２）  図１２（ａ）の状態において、操作レバー６を矢印で示す左回り方向に回動すると、前方カム面６４、６４がスライダ４の前方ホロアー面５０、５０を押圧してスライダ４を矢印で示す左方向へ移動させ、同図（ｂ）に示す状態となる。
【００３４】
（３）  図１２（ｂ）の状態において、操作レバー６をさらに矢印で示す左回り方向に回動し、前記（１）の初期状態に対して所定角度（例えば７７．３度）回動すると、前方カム面６４、６４が前方ホロアー面５０、５０をさらに押圧してスライダ４を矢印で示す左方向に移動させ、同図（ｃ）に示す状態となって移動がとまる。これは、スライダ４の抜け止め突起４８、４８が据え付け具２，３の案内孔２５、３５の端部に当接して移動範囲を規制しているからである。
【００３５】
（４）  図１２（ｃ）の状態は図１３（ｂ）の状態に該当し、スライダ４の前面側を水平面Ｈより若干上方へ移動させてフレキシブル基板８の低挿入での挿入を可能とする。すなわち、図１２（ｃ）に示すようにスライダ４が左方向に移動すると、図１３（ａ）に示すように天板部１３の前面側内壁面との係合していた押圧片部４６の前面側の外壁面が同図（ｂ）に示すように係合を解かれて押圧片部４６の背面側の上側壁面と係合し、スライダ４の前面側を水平面Ｈより若干上方へ移動させるからである。
水平面Ｈは、フレキシブル基板用コネクタの他方の接続対象であるプリント配線基板等の表面を表す。
【００３６】
（５）  図１２（ｃ）の状態において、操作レバー６を矢印で示す右回り方向に回動すると、操作レバー６の後方カム面６５、６５がスライダ４の後方ホロアー面５１、５１を押圧してスライダ４を矢印で示す右方向へ移動させ同図（ｄ）に示す状態となる。
【００３７】
（６）  図１２（ｄ）の状態において、操作レバー６をさらに矢印で示す右回り方向に回動すると、後方カム面６５、６５が後方ホロアー面５１、５１を矢印で示す右方向に移動させ、同図（ｅ）に示す初期状態に戻る。
このとき、操作レバー６の係合突起６７、６７は、係合段部５３、５３との係合において、初めはスライダ４の上部垂直内壁面５４，５４に所定の押圧力で当接し続けているが、操作レバー６の回動が進んで初期状態に戻る直前にはそれまでの押圧力より小さな押圧力で傾斜内壁面５６、５６に当接するので、クリック感が生じる。
また、操作レバー６の係合突起６７、６７が係合段部５３、５３の傾斜内壁面５６、５６と係合することによって、操作レバー６が振動等の外力で左回り方向に回動するのを規制している。
【００３８】
（Ｂ）：  フレキシブル基板８の挿入、接続作用
（１）  図１３（ａ）に示す初期状態において、操作レバー６を左回り方向に回動すると、前記（Ａ）（２）（３）で説明した作用により、スライダ４が左方向に移動するとともに前面側を水平面Ｈより上へ移動させる。
このため、図１３（ｂ）に示すように、コンタクト７〜７の接触部７４〜７４とスライダ４の押圧片部４６の間にフレキシブル基板８の厚さより広い間隙が確保され、フレキシブル基板８を低挿入力で挿入凹部１５内へ挿入することができる。
このフレキシブル基板８の挿入凹部１５内への挿入は、通常、フレキシブル基板８の先端部が背板部１４の内壁面に当接する位置か、その近傍位置のいわゆる所定位置までとなる。
【００３９】
（２）  前記（１）でフレキシブル基板８の挿入凹部１５内への挿入が低挿入力で可能な状態において、図１３（ｂ）に示すように、フレキシブル基板８の挿入凹部１５内への挿入が所定位置まで達しない不十分なときであっても、フレキシブル基板８の補強材８２の前面側端部がスライダ４の段差部４５、４５に係合可能な位置まで挿入されていれば、操作レバー６の右回り方向の回動によるスライダ４の右方向への移動によって、同図（ｃ）に示すように、フレキシブル基板８の先端部を挿入凹部１５内の所定位置まで移動させ、フレキシブル基板８の接触部をコンタクト７〜７の接触部７４〜７４に所定の弾性力で接触させることができる。
すなわち、フレキシブル基板８の不完全挿入を防止して、フレキシブル基板８とプリント配線基板等との電気的な接続を確実にすることができる。
【００４０】
（３）  前記（２）でフレキシブル基板８の補強材８２の前面側端部がスライダ４の段差部４５、４５に係合可能な位置まで挿入されているか否かは、スライダ４の切り欠き部４４を介して目視することができるので、フレキシブル基板８の挿入凹部１５内への仮挿入を容易にすることができるとともに、フレキシブル基板８の挿入凹部１５内への挿入状態の確認を容易にすることができる。
【００４１】
（４）  図１３（ｂ）の挿入状態から同図（ｃ）のロック状態に至る直前においては、前記（Ａ）（６）の作用によりクリック感が生じるので、ロック状態になったことを容易に確認することができる。また、ロック状態になった後には、前Ａ）（６）の作用により記操作レバー６の左回りの回動を規制しているので、振動等の外力でロック解除となるのを防止できる。
【００４２】
（５）  図１３（ｃ）のロック状態においては、スライダ４の段差部４５、４５がフレキシブル基板８の補強材８２の前面側端部に係合してフレキシブル基板８の抜け止めに寄与しているので、フレキシブル基板８の抜け止めを強化することができる。
【００４３】
前期実施形態例では、操作レバー６に前方カム面６４、６４及び後方カム面６５、６５を形成するとともに、スライダ４の凹部４９、４９に前方ホロアー面５０、５０及び後方ホロアー面５１、５１を形成した、カム機構を用いた場合について説明したが、本発明はこれに限るものでなく、操作レバー６の回動運動をスライダ４の往復直線運動に変換させるものであれば、リンク機構などの他の機構を用いたものについても利用することができる。
【００４４】
前期実施形態例では、ロック時にクリック感を生じさせるとともに、ロックされた操作レバー６が振動等の外力で容易に回動するのを防止するために、スライド腕部４２、４２の内壁面に係合段部５３、５３を形成し、回動腕部６２、６２に係合突起６７、６７を形成した場合について説明したが、本発明はこれに限るものでなく、係合段部５３、５３及び係合突起６７、６７を省略した場合についても利用することができる。
【００４５】
前期実施形態例では、小型化を維持しつつ操作レバー６を十分な強度で回動支持するために、ハウジング１と別体に据え付け具２，３を設けた場合につい説明したが、本発明はこれに限るものでなく、据え付け具２，３に相当する案内部をハウジング１の両側に形成し、据え付け具２，３を省略した場合についても利用することができる。
【００４６】
前期実施形態例では、ハウジング１の両側に操作スペースを設けることなくスライダ４の移動を容易にするために操作レバー６を具備し、操作レバー６の回動でスライダ４を往復移動させる構成について説明したが、本発明はこれに限るものでなく、操作レバー６を省略し、スライダ４を手動で往復移動させる構成した場合についても利用することができる。
【００４７】
【発明の効果】
請求項１の発明は、スライダ（４）のフレキシブル基板（８）を押圧する側の面に段差部（４５、４５）を形成し、スライダ（４）の挿入凹部（１５）への挿入時にフレキシブル基板（８）の挿入凹部（１５）内への挿入が不十分であっても、スライダ（４）の挿入凹部（１５）への挿入で段差部（４５、４５）がフレキシブル基板（８）の補強材（８２）に係合してフレキシブル基板（８）を挿入凹部（１５）内の所定位置まで移動させることができる構成としたので、不完全な挿入を防止することができる。
さらに、フレキシブル基板（８）の挿入後にスライダ（４）の段差部（４５、４５）がフレキシブル基板（８）の補強材（８２）に係合してフレキシブル基板（８）の抜け止めに寄与しているので、フレキシブル基板（８）の抜け止めを強化することができる。
その上、スライダ（４）の抜去側部分に切り欠き部（４４）を形成し、この切り欠き部（４４）が、スライダ（４）の抜去側とフレキシブル基板（８）を押圧する側とその反対側との３方向に向かって開口し、切り欠き部（４４）の抜去側に向かう面と段差部（４５，４５）が補強材（８２）と係合する面とが略同一面上に位置するように形成されているので、フレキシブル基板（８）の補強材（８２）がスライダ（４）の段差部（４５，４５）に係合可能な位置まで挿入されているか否かを切り欠き部（４４）を介して目視することができ、フレキシブル基板（８）が挿入凹部（１５）内の所定位置まで適切に挿入されているか否かを容易に確認することができる。
【００４８】
請求項２の発明は、請求項１の発明において、ハウジング（１）に回動可能に支持された操作レバー（６）を具備し、操作レバー（６）の回動でスライダ（４）を移動させる構成としたので、ハウジング（１）の両側に操作スペースを設けることなくスライダ（４）の移動の容易化を図ることができる。
【００４９】
請求項３の発明は、請求項２の発明において、取付片部（２１，３１）がハウジング（１）の両側壁に固着されてハウジング（１）の側壁との間でスライダ（４）のスライド腕部（４２，４２）を案内する据え付け具（２，３）を具備し、スライド腕部（４２，４２）の内壁面に操作レバー（６）の回動腕部（６２，６２）を回動可能に収容する凹部（４９，４９）を形成し、回動腕部（６２，６２）の先端部に取付片部（２１，３１）の枢支孔（２４，３４）に回動可能に支持される枢軸（６３，６３）を形成する構成としたので、小型化を維持しつつ操作レバー（６）を十分な強度で回動可能に支持することができる。
【００５０】
請求項４の発明は、請求項３の発明において、スライド腕部（４２，４２）の内壁面に係合段部（５３，５３）を形成し、回動腕部（６２，６２）に、操作レバー（６）の回動時に係合段部（５３，５３）と所定の押圧力で当接可能な係合突起（６７，６７）を形成する構成としたので、操作レバー（６）の回動でスライダ（４）をハウジング（１）側へ移動してロックするときクリック感を生じさせることができるとともに、ロックされた操作レバー（６）が振動などの外力で容易に回動するのを防止することができる。
【図面の簡単な説明】
【図１】本発明によるフレキシブル基板用コネクタの一実施形態例を示す分解斜視図である。
【図２】組立後のフレキシブル基板用コネクタを示す図で、（ａ）は平面図、（ｂ）は正面図である。
【図３】図２（ｂ）の右側面図である。
【図４】図２（ｂ）のＡ−Ａ線断面図である。
【図５】ハウジング１を示す図で、（ａ）は１部を切り欠いた平面図、（ｂ）は１部を切り欠いた正面図、（ｃ）は（ｂ）の右側面図、（ｄ）は（ｂ）のＡ−Ａ線断面図のある。
【図６】据え付け具２を示す図で、（ａ）は背面図、（ｂ）は平面図、（ｃ）は正面図、（ｄ）は（ｂ）のＡ−Ａ線断面図である。
【図７】据え付け具３を示す図で、（ａ）は背面図、（ｂ）は平面図、（ｃ）は正面図、（ｄ）は（ｂ）のＡ−Ａ線断面図である。
【図８】スライダ４を示す図で、（ａ）は平面図、（ｂ）は正面図である。
【図９】スライダ４を示す図で、（ａ）は図８（ｂ）の底面図、（ｂ）は図８（ｂ）の左側面図、（ｃ）は図８（ｂ）のＡ−Ａ線断面図、（ｄ）は（ｃ）のＢ−Ｂ線断面図である。
【図１０】操作レバー６を示す図で、（ａ）は平面図、（ｂ）は正面図である。
【図１１】操作レバー６を示す図で（ａ）は図１０（ｂ）の底面図、（ｂ）は図１０（ｂ）の右側面図、（ｃ）は図１０（ｂ）のＡ−Ａ線断面図である。
【図１２】操作レバー６の回動によってスライダ４が移動する作用の説明図である。
【図１３】フレキシブル基板８をコネクタに挿入、接続する作用の説明図である。
【符号の説明】
１…ハウジング、  １５…挿入凹部、  １６…係止溝、  ２，３…据え付け具、  ２１，３１…取付片部、  ２４，３４…枢支孔、  ２５，３５…案内孔、２７，３７…案内部、  ４…スライダ、  ４２…スライド腕部、  ４３…挿通凹部、  ４４…切り欠き部、  ４５…段差部、  ４６…押圧片部、４８…抜け止め突起、   ４９…凹部、  ５０…前方ホロアー面、  ５１…後方ホロアー面、５３…係合段部、  ５４…上部垂直内壁面、  ５６…傾斜内壁面、  ６…操作レバー、  ６２…回動腕部、  ６３…枢軸、  ６４…前方カム面、  ６５…後方カム面、 ６７…係合突起、    ７…コンタクト、  ７１…接触片部、  ７４…接触部、  ８…フレキシブル基板、  ８１…基板本体、  ８２…補強材。
【図１】
0003709174.tif 000002
【図２】
0003709174.tif 000003
【図３】
0003709174.tif 000004
【図４】
0003709174.tif 000005
【図５】
0003709174.tif 000006
【図６】
0003709174.tif 000007
【図７】
0003709174.tif 000008
【図８】
0003709174.tif 000009
【図９】
0003709174.tif 000010
【図１０】
0003709174.tif 000011
【図１１】
0003709174.tif 000012
【図１２】
0003709174.tif 000013
【図１３】
0003709174.tif 000014